(57)【要約】【課題】携帯電話やスマートフォン等の携帯機器に取り付け、落下防止を図るとともに操作する指の可動域を広げ、片手での操作を容易にする携帯機器用落下防止ホルダーを提供する。【解決手段】。携帯機器の側面又は側面付近に、指挿通部を形成し得る伸縮性を有する部材を設ける。そのために、携帯機器に装着可能なケースを用いる場合と用いない場合がある。該ケースを用いる場合、該ケースの側面又は側面付近に伸縮性を有する部材を設け指挿通部を形成する。該ケースを用いない場合は、伸縮性を有する部材を携帯機器や携帯機器ケースに取り付けるために、該部材の両端に土台を設け、携帯機器又は携帯機器ケースに該土台を取り付けることで指挿通部を形成する。これらにより形成された指挿通部に指を挿通することで、落下防止を図るとともに操作する指の可動域を広げ、片手での操作を容易にすることを特徴とする。【選択図】  図１
2015023564.tif 000002
【特許請求の範囲】
【請求項１】
携帯機器に装着可能なケース本体部の側面又は側面付近に、指挿通部を形成し得る伸縮性を有する部材を設けたことを特徴とする携帯機器ホルダー。
【請求項２】
伸縮性を有する部材の両端は、前記ケース本体部の側面又は側面付近に、間隔をあけて上下に設けられた、又は上下の角部分に設けられたそれぞれの穴の外側から内側に貫通した後に内側に留められている、請求項１記載の携帯機器ホルダー。
【請求項３】
伸縮性を有する部材の両端に土台を設け、携帯機器又は携帯機器ケースに該土台を取り付けることで、請求項１と同様に携帯機器に指挿通部を形成し得ることを特徴とする携帯機器ホルダー。
【発明の詳細な説明】
【技術分野】
【０００１】
本発明は、携帯電話やスマートフォン等の携帯機器の落下を防止するとともに、携帯機器を操作する指の可動域を広げ、片手での操作を容易にする携帯機器用落下防止ホルダーに関する。
【背景技術】
【０００２】
従来、片手で携帯機器を操作する際は、落下防止のために人差し指から小指までのいずれかの指を携帯機器の側面に引っ掛け、もう一方の側面を親指の付け根辺りに押し当て携帯機器を握る必要があった。携帯機器の操作は通常親指で行うが、親指の付け根が携帯機器の側面に位置するため、親指の可動域は制限され、親指が操作画面に届かない部分があった。また、携帯機器は滑らかでシンプルな形状のため、指の引っ掛かりが少なく、落下を防ぐために必要以上に携帯機器を強く握ることから、手が疲れやすかった。さらに、人差し指は背面側に位置することになり、携帯機器を保持している手の人差し指と親指で同時に操作する、いわゆるピンチイン・ピンチアウトを行うことができなかった。
【０００３】
特許文献１及び特許文献２のケースでは、指挿通部に指を挿通することによって片手で保持できるとともに、携帯機器を握らなくても落下を防げるため操作する指の可動域が増加する。しかし、指挿通部が広いと指を挿通しやすい反面、指挿通部を形成する部材が挿通した指を締め付ける力が弱いため、携帯機器が動いてしまい安定して保持できない。
【０００４】
反対に、指挿通部が狭い場合は指の挿通が難しい。また、指を挿通したときに、指挿通部を形成する部材の両端を引く力が強くなり、挿通した指を支点としてケースの背面側に反る力が働く。そのため、携帯機器からケースが外れることがあった。その原因は、指挿通部が背面に位置することにあった。
【０００５】
特許文献１及び特許文献２のケースでは、指挿通部が背面に設けられているため、指挿通部を形成する部材は第２関節よりも奥で指を締め付けることができなかった。通常、第１関節は伸ばした状態で機器を保持するため、指挿通部から抜け落ちることがあった。
【０００６】
特許文献１及び特許文献２のケースでは、指挿通部の大きさ変更は難しく、指の太さによって携帯機器の安定性に差異があった。
【０００７】
特許文献１及び特許文献２のケースでは、指挿通部は携帯機器を使用しないときにも常に形成された状態のため、携帯機器のデザインを大きく崩していた。また、ポケットやかばん等から取り出す際、指挿通部を形成する部材が弛んでいるため鍵やキーホルダー等を引っ掛けてしまうだけでなく、指を挿通せず両手で使用する時や写真撮影時に、指挿通部を形成する部材は邪魔になった。
【先行技術文献】
【特許文献】
【０００８】
【特許文献１】特開２０１３−１７０５９号公報
【特許文献２】特開２０１２−１５１７７０号公報
【発明の概要】
【発明が解決しようとする課題】
【０００９】
本発明は上記の問題点を解決するためになされたもので、落下防止を図るとともに指の可動域を広げ片手での操作を容易にする。また、指を挿通せず使用する時には、指挿通部を形成する部材は邪魔にならず、携帯機器のデザインを崩さない携帯機器用落下防止ホルダーを提供することを目的とする。
【課題を解決するための手段】
【００１０】
本発明は以下の発明を提供することにより前記目的を達成したものである。
１  携帯機器に装着可能なケース本体部と該ケース本体部の側面又は側面付近に指挿通部を形成し得る伸縮性を有する部材を備えた携帯機器ケース
【００１１】
２  伸縮性を有する部材を携帯機器の側面又は側面付近に取り付け指挿通部を形成するために、該部材とその両端に設けられた土台
【発明の効果】
【００１２】
本発明は、片手で携帯機器を操作する際に、携帯機器の落下防止を図るとともに、指の可動域を広げ携帯機器の操作を容易にする。さらに、従来は背面側に位置した人差し指が、操作面まで可動できるため、いわゆるピンチイン・ピンチアウトを片手で行うことができる。指を挿通しない時には、伸縮性を有する部材は携帯機器の側面又は側面付近に密接するため、携帯機器のデザインを崩さないだけでなく、かばん等からの出し入れの際に引っ掛かることもなく、指を挿通せずに使用するときにも邪魔にならない。また、挿通した指を締め付ける力を容易に変更できるため、指が細い場合でも携帯機器を安定して保持できる。
【図面の簡単な説明】
【００１３】
【図１】ケース本体部に伸縮性を有する部材を取り付けた携帯機器用落下防止ホルダーの斜視図。
【図２】ケース本体部とその側面に形成された指挿通部の正面図。
【図３】携帯機器又は携帯機器ケースに直接取り付ける、伸縮性を有する部材とその両端に設けられた土台の斜視図。
【図４】図３の土台の斜視図。
【図５】図３の土台を分割した斜視図。
【図６】図５の土台の斜視図。
【図７】土台の断面図
【図８】指挿通部に指を第２関節まで挿通した使用状態を示す図
【発明を実施するための形態】
【００１４】
この発明を実施するための形態を、以下図面を用いて説明する。
本実施形態のケース本体部は、携帯機器の背面や側面を覆い装着するケース本体部１と、該ケース本体部の側面又は側面付近に設けられた、指挿通部７を形成し得る伸縮性を有する部材２から構成される。本携帯機器ケースは、このような構成を備えることにより、携帯機器の落下を防ぐとともに片手での操作を容易にする。
【００１５】
ケース本体部は、携帯機器のスイッチ類を操作する時や写真を撮影する際に支障がないように、該部分は覆われないか又は柔軟な部材を使用し操作に影響がないようにしてある。
【００１６】
図１のように伸縮性を有する部材の両端は、ケース本体部の側面又は側面付近の上下又は上下の角部に設けられた貫通穴４のそれぞれから携帯機器側に向かって貫通した後、該貫通穴よりも大きな結び目等５を設けることにより貫通穴から抜けないようにしてある。なお、貫通穴から抜けないようにする方法は特に限定されない。
【００１７】
結び目等による抜け防止を施した部分は、携帯機器にケース本体部を装着する際に支障がないように、穴付近に結び目等収まり部６が設けられている。
【００１８】
結び目等は、伸縮性を有する部材に張力がかかる位置に設ける。その結果、該部材はケース本体部の側面又は側面付近に密接して位置することとなり、携帯機器をかばんやポケットに入れる際に引っかからず、取り出す際にも鍵やキーホルダーが引っかかることもない。
【００１９】
ケース本体部と伸縮性を有する部材が密接しているため、指挿通部は形成されていないが図２のように、伸縮性を有する部材を引っ張ることで指挿通部が形成される。
【００２０】
指挿通部に指を入れ、図８のように第２関節を曲げることで握らなくても携帯機器が安定する。また、伸縮性を有する部材は第２関節より指の付け根側に位置し、携帯機器に向かって挿通した指を締め付ける。そのため、挿通した指の第２関節を伸ばさない限り、指挿通部から指が抜け携帯機器が落下することはない。なお、指の第２関節を伸ばすと親指が操作画面に届かないため、操作時に指の第２関節を伸ばすことはなく、携帯機器を落下させることはない。
【００２１】
以上は携帯機器にケース本体部を装着する場合の説明である。
図３及び図５に示す、伸縮性を有する部材の両端に設けられた土台８を携帯機器や携帯機器ケースに取り付けることで、前記と同様の原理で使用することができる。なお、図５及び図６は土台が分割されており、携帯機器の側面や背面に設けられたボタンや蓋を避けて取り付けることができる。土台の貫通穴４から伸縮性を有する部材が抜けないように結び目等による抜け防止を施した部分には結び目等収まり部６が設けられ、携帯機器等に支障なく取り付けることができる。
【符号の説明】
【００２２】
１  ケース本体部
２  伸縮性を有する部材
３  背面        
４  貫通穴
５  結び目等
６  結び目等収まり部
７  指挿通部
８  土台
【図１】
2015023564.tif 000003
【図２】
2015023564.tif 000004
【図３】
2015023564.tif 000005
【図４】
2015023564.tif 000006
【図５】
2015023564.tif 000007
【図６】
2015023564.tif 000008
【図７】
2015023564.tif 000009
【図８】
2015023564.tif 000010